(57)【要約】      （修正有）【課題】季節の変化に対応させて着用できるほか、家事作業中の動きをスムーズにもすることができる裏地交換可能な襟付き道中着を提供する。【解決手段】後身頃と、該後身頃の一方の開放縦縁側から延設された右前身頃１６と、他方の開放縦縁側から延設された左前身頃１７と、襟回りに配置された襟２３とを備えてなる身頃本体１２と、該身頃本体１２に取り付けられた左右一対の小袖３２，３２とで構成される。身頃本体１２の裏面１２ｂの略全面領域には、止着具４５を介して裏地４２が着脱可能に取り付けられ、小袖３２は、袖口３３を伸縮ギャザー部３４として形成するとともに、身頃本体１２には、第１細紐２７と、該第１細紐２７と結び合わされる第２細紐２８と、飾り結び目２９ａ付きの第３細紐２９と、該第３細紐２９と結び合わされる第４細紐３０とを配置した。【選択図】図１
0003181919.tif 000002
【実用新案登録請求の範囲】
【請求項１】
右後身頃部と左後身頃部とからなる後身頃と、該後身頃の前記右後身頃部の開放縦縁側から延設された右前身頃と、前記左後身頃部の開放縦縁側から延設された左前身頃と、襟回りに右前襟部から後襟部を経て左前襟部へと至るように配置された襟とを備えてなる身頃本体と、該身頃本体における腕を通す部位に取り付けられた左右一対の小袖とで構成され、
少なくとも前記身頃本体の裏面における略全面領域には、着脱用の止着具を介して裏地が着脱可能に取り付けられ、
前記小袖は、それぞれの袖口を伸縮ギャザー部として形成され、
前記右前襟部の下側寄り表面には第１細紐を、該第１細紐の位置よりやや高い前記左前身頃部と前記左後身頃部との境界に位置する裏面側には前記第１細紐と結び合わされる第２細紐を、前記左前襟部の下側寄り表面には飾り結び目付きの第３細紐を、該第３細紐の位置と略同じ高さに位置する前記右前身頃部と前記右後身頃部との境界に位置する裏面側には前記第３細紐と結び合わされる第４細紐をそれぞれ配置したことを特徴とする裏地交換可能な襟付き道中着。
【請求項２】
前記右後身頃部と前記右前身頃との境界における前記第４細紐の取り付け位置の下側近傍位置から前記右前身頃側へとやや入り込ませた小区画面領域には、上方を開口させた開口部を有するポケットを備える請求項１に記載の裏地交換可能な襟付き道中着。
【請求項３】
後身頃における前記右後身頃部と前記左後身頃部との境界位置を含む上側部分領域の表面側には、人目を引く装飾文字を配置した請求項１または２に記載の裏地交換可能な襟付き道中着。
【考案の詳細な説明】
【技術分野】
【０００１】
本考案は、裏地を交換することで季節に応じた道中着として着用したり、家事作業中にしっかりと腕まくりすることができるようにした裏地交換可能な襟付き道中着に関する技術である。
【背景技術】
【０００２】
通常、道中着は、季節に応じて着用できるよにひとえ（単）物と袷とを別々に用意する必要があるほか、その使用目的に応じて生地、柄、模様、色彩などを異にする複数種類のものを用意しておく必要もある。
【０００３】
このように複数種類の道中着を用意する煩雑さを解消するものとしては、例えば特許文献１に開示されているように、ひとえ（単）、袷、および２枚重ねとして着用できるように構成された「道中着等のコート」も既に提案されている。
【先行技術文献】
【特許文献】
【０００４】
【特許文献１】実用新案登録第３０９２３８７号公報
【考案の概要】
【考案が解決しようとする課題】
【０００５】
しかし、特許文献１の「道中着等のコート」による場合には、着用時における防寒性能に難があるばかりでなく、袖が大きいために動きづらく、さらには、袖口から冷たい空気が侵入してくるなどの不都合があった。
【０００６】
本考案は、従来からある道中着にみられた上記課題に鑑み、季節の変化に対応させて着用できるほか、家事作業中の動きをスムーズにもすることができる裏地交換可能な襟付き道中着を提供することを目的とする。
【課題を解決するための手段】
【０００７】
本考案は、上記目的を達成すべくなされたものであり、右後身頃部と左後身頃部とからなる後身頃と、該後身頃の前記右後身頃部の開放縦縁側から延設された右前身頃と、前記左後身頃部の開放縦縁側から延設された左前身頃と、襟回りに右前襟部から後襟部を経て左前襟部へと至るように配置された襟とを備えてなる身頃本体と、該身頃本体における腕を通す部位に取り付けられた左右一対の小袖とで構成され、少なくとも前記身頃本体の裏面における略全面領域には、着脱用の止着具を介して裏地が着脱可能に取り付けられ、前記小袖は、それぞれの袖口を伸縮ギャザー部として形成され、前記右前襟部の下側寄り表面には第１細紐を、該第１細紐の位置よりやや高い前記左前身頃部と前記左後身頃部との境界に位置する裏面側には前記第１細紐と結び合わされる第２細紐を、前記左前襟部の下側寄り表面には飾り結び目付きの第３細紐を、該第３細紐の位置と略同じ高さに位置する前記右前身頃部と前記右後身頃部との境界に位置する裏面側には前記第３細紐と結び合わされる第４細紐をそれぞれ配置したことを最も主要な特徴とする。
【０００８】
この場合、前記右後身頃部と前記右前身頃との境界における前記第４細紐の取り付け位置の下側近傍位置から前記右前身頃側へとやや入り込ませた小区画面領域には、上方を開口させた開口部を有するポケットを具備させることもできる。
【０００９】
また、後身頃における前記右後身頃部と前記左後身頃部との境界位置を含む上側部分領域の表面側には、人目を引く装飾文字を配置するのが望ましい。
【考案の効果】
【００１０】
本考案のうち、請求項１に記載の考案によれば、少なくとも身頃本体の裏面における略全面領域には、着脱用の止着具を介して裏地を着脱可能に取り付けることができるので、着用時に裏地の性能に応じた着用感を得ることができる。また、小袖は、それぞれの袖口が伸縮ギャザー部として形成されているので、動きやすいほか、着用時に袖口から冷たい空気が侵入するのを防いだり、家事作業中の腕まくりも安定した状態で維持することができる。
【００１１】
請求項２に記載の考案によれば、上方を開口させた開口部を有するポケットが身頃本体の小区画面領域に設けられているので、その着用時に携帯用小物等を安心して持ち歩くことができる。
【００１２】
請求項３に記載の考案によれば、右後身頃部と左後身頃部との境界位置を含む上側部分領域の表面側に人目を引く装飾文字が配置されているので、デザイン性に富むばかりでなく、注目されることによる高揚した着用感も得ることができる。
【図面の簡単な説明】
【００１３】
【図１】本考案の一例を示す正面図。
【図２】本考案の一例を示す背面図。
【考案を実施するための形態】
【００１４】
図１および図２からも明らかなように、襟付き道中着１１は、右後身頃部１４と左後身頃部１５とからなる後身頃１３と、該後身頃１３における右後身頃部１４の開放縦縁１４ａ側から延設された右前身頃１６と、左後身頃部１５の開放縦縁１５ａ側から延設された左前身頃１７と、襟回りに右前襟部２４から後襟部２５を経て左前襟部２６へと至るように配置された襟２３とを備えてなる身頃本体１２と、該身頃本体１２における腕を通す部位に取り付けられた左右一対の小袖３２，３２とで構成されている。
【００１５】
また、少なくとも身頃本体１２の裏面１２ｂにおける略全面領域、場合によっては各小袖３２を含む裏面における略全面領域には、複数の適宜位置に配置されたボタン構造、チャック構造、面ファスナー構造などからなる着脱用の止着具４５を介して裏地４２が着脱可能に取り付けられている。
【００１６】
この場合における裏地４２としては、保温性に優れたフリース生地やダウン入りのものなどを用いて形成されているもののほか、通気性に優れたネット地やレース地や、その他の種々の生地を用いて形成されているものを適宜用いることができる。
【００１７】
また、襟２３は、後襟部２５の襟幅が略５．５ｃｍであるのに対し、左前襟部２６と右前襟部２４との襟幅がともに下に行くに従いやや広幅となる略５．５ｃｍ〜略７．０ｃｍとなっている。また、左前襟部２６と右前襟部２４との長さは、例えばともに７１ｃｍ程度の略同一長となっている。
【００１８】
さらに、小袖３２は、それぞれの袖口３３にゴム紐を配置して縦幅略８ｃｍ程度の寄せひだ状とした伸縮ギャザー部３４として形成されている。
【００１９】
右前襟部２６の下端寄りの表面１２ａには、幅略１．５ｃｍで長さが略３０ｃｍの第１細紐２７が配置されている。
【００２０】
第１細紐２７の取付け位置よりやや高い左前身頃部１６と左後身頃部１５との境界に位置する裏面１２ｂ側には、第１細紐１６と結び合わされる幅略１．５ｃｍで長さが略２６ｃｍの第２細紐２８が配置されている。
【００２１】
左前襟部２６の下端寄りの表面１２ａには、その基端側に設けた飾り結び目２９ａが縫い付けられた幅略１．５ｃｍで長さが略２７ｃｍの第３細紐２９が配置されている。
【００２２】
第３細紐２９の位置と略同じ高さに位置する右前身頃部１６と右後身頃部１４との境界の裏面１２ｂ側には、第３細紐２９の位置と略同じ高さに位置して該第３細紐２９と結び合わされる幅略１．５ｃｍで長さが略２５ｃｍの第４細紐３０が配置されている。
【００２３】
しかも、右後身頃１４部と右前身頃１６との境界における第４細紐３０の取り付け位置の下側近傍位置から右前身頃１６側へとやや入り込ませた小区画面領域には、上方を開口させた開口部１９有するポケット１８が設けられている。
【００２４】
さらに、後身頃１３が位置する身頃本体１２の表面１２ｂ側における右後身頃部１４と左後身頃部１５との境界位置を含む上側部分領域には、人目を引く適宜の装飾文字２０、例えば図２に示されているように登録商標「仕立屋甚五郎」を縦書きでデザイン化した装飾文字２０が配置されている。
【００２５】
本考案は、このようにして構成されているので、襟付き道中着１１としての着用は、以下の手順を踏んで行われることになる。すなわち、右前身頃１６と左前身頃１７とを開いた状態にした上で、着用者は、左側の小袖３２には左腕を送り込んで袖口３３から左手を出し、右側の小袖３２には右腕を送り込んで袖口３３から右手を出した状態でコートを着込むようにして着込む。
【００２６】
着込んだ後の着用者は、まず、裏面１２ｂ側に位置する第１細紐２７と第２細紐２８とを結び合わせる。次いで、表面１２ａ側に位置する第３細紐２８と第４細紐２８とを結び合わせることで、着用作業を簡単に終了させることができる。
【００２７】
このため、本考案によれば、少なくとも身頃本体１２の裏面１２ｂにおける略全面領域には、着脱用の止着具４５を介して裏地４２を着脱可能に取り付けることができるので、裏地４２自体を季節の変化に応じて交換するなどして調整することで、その着用時に裏地４２の性能に応じた暖かさや爽快さなどの着用感を得ることができる。
【００２８】
また、小袖３２は、それぞれの袖口３３が伸縮ギャザー３４部として形成されているので、動きやすいほか、着用時に袖口３３から冷たい空気が侵入するのを防いだり、家事作業中の腕まくりも安定した状態で維持することができる。
【００２９】
また、上方を開口させた開口部１９を有するポケット１８が身頃本体１２の小区画面領域に設けられている場合には、その着用時に携帯用小物等を安心して持ち歩くことができる。
【００３０】
さらに、右後身頃部１４と左後身頃部１５との境界位置を含む上側部分領域の表面１２ａ側に人目を引く装飾文字２０が配置されている場合には、デザイン性に富むばかりでなく、注目されることによる高揚した着用感も得ることができる。
【符号の説明】
【００３１】
１１  襟付き道中着
１２  身頃本体
１２ａ  表面
１２ｂ  裏面
１３  後身頃
１４  右後身頃部
１４ａ  開放縦縁
１５  左後身頃部  
１５ａ  開放縦縁
１６  右前身頃
１７  左前身頃
１８  ポケット
１９  開口部
２０  装飾文字
２３  襟
２４  右前襟部
２５  後襟部
２６  左前襟部
２７  第１細紐
２８  第２細紐
２９  第３細紐
２９ａ  飾り結び目
３０  第４細紐
３２  小袖
３３  袖口
３４  伸縮ギャザー部
４２  裏地
４５  止着具
【図１】
0003181919.tif 000003
【図２】
0003181919.tif 000004